(57)【要約】【課題】光源部からの光が毛髪に遮光されずに皮膚に光を届かせ、且つ炎症を生じさせることなく体毛の成長を促進させることのできる育毛装置を提供する。【解決手段】体毛を育毛させる育毛装置は、光源部９からの電圧印加により光源部３が発光した光Ｈを、集光レンズ５で集光した後、導光部４に照射する。導光部４は、集光された光Ｈを、体毛に邪魔されることなく皮膚へと導く。照射する光Ｈは、その光の波長を９５０ｎｍ又は１４５０ｎｍの水の特異吸収波長とする。この光Ｈを受けた部位の体毛は、低エネルギーの光を受けることで、炎症を招くことなく体毛を成長させることができる。【選択図】図１
2011062422.tif 000002
【特許請求の範囲】
【請求項１】
体毛を育毛させるための光を発し、その光の波長を９５０ｎｍ又は１４５０ｎｍの水の特異吸収波長とする光源部と、
前記光源部を発光させる電源部と、
前記光源部で発せられた光を皮膚へと導く導光手段と、を備えた
ことを特徴とする育毛装置。
【請求項２】
請求項１に記載の育毛装置であって、
前記導光手段は、円筒形状とされ、一端を前記光源部側に設け、他端を前記皮膚に接触させる
ことを特徴とする育毛装置。
【請求項３】
請求項１または請求項２に記載の育毛装置であって、
前記光源部及び前記導光手段からなるユニットを複数個並べて、複数の前記導光手段を櫛歯形状に配列させた
ことを特徴とする育毛装置。
【請求項４】
請求項１または請求項２に記載の育毛装置であって、
前記導光手段は、前記光源部側に設けられる一端側から前記皮膚に接触する他端側に向かって複数に枝分かれし、前記光の照射出口を複数有する
ことを特徴とする育毛装置。
【請求項５】
請求項１から請求項４の何れか１項に記載の育毛装置であって、
前記光源部と前記導光手段との間に、該光源部で発せられた光を集光して前記導光手段に入力する集光手段を設けた
ことを特徴とする育毛装置。
【請求項６】
請求項１から請求項５の何れか１項に記載の育毛装置であって、
前記光の照射時間を１５分以上とする時間制御手段を備えた
ことを特徴とする育毛装置。
【発明の詳細な説明】
【技術分野】
【０００１】
本発明は、皮膚に光を照射して体毛の成長を促進させる育毛装置に関する。
【背景技術】
【０００２】
従来、皮膚に軽い炎症を起こさせることで体毛の発育を加速させるようにした技術が知られている。効果が高いとされているこの手法は、薬剤などで炎症を起こさせるものであるが、このような薬剤の使用は、しばしば軽度の肌荒れを生じさせると共に、痛みや感染症などの問題を有している。
【０００３】
また、この他、８９０ｎｍの波長を有した光を皮膚に照射することで体毛を発育させる技術がある（例えば、非特許文献１などに記載）。この技術は、本願出願人が動物実験で確認したところ、薬剤を用いる場合と同様、皮膚内部に炎症を引き起こすことを利用したものであることが分かった。
【先行技術文献】
【非特許文献】
【０００４】
【非特許文献１】Jounal of Korean Society Plastic & Reconstructive Surgeons 2004 p.1-p.8
【発明の概要】
【発明が解決しようとする課題】
【０００５】
しかしながら、非特許文献１の技術では、皮膚内部に炎症を人為的に引き起こすことは人体に対して好ましいとは言えない。また、頭部へ光を照射する場合、毛髪により光が遮られてしまい、処置部である皮膚に光が届かないことや光が減衰することにより、育毛効果が低下する。
【０００６】
そこで、本発明は、光源部からの光が毛髪に遮光されずに皮膚に光を届かせ、且つ炎症を生じさせることなく体毛の成長を促進させることのできる育毛装置を提供することを目的とする。
【課題を解決するための手段】
【０００７】
請求項１に記載の育毛装置は、体毛を育毛させるための光を発し、その光の波長を９５０ｎｍ又は１４５０ｎｍの水の特異吸収波長とする光源部と、前記光源部を発光させる電源部と、前記光源部で発せられた光を皮膚へと導く導光手段と、を備えたことを特徴とする。
【０００８】
請求項２に記載の発明は、請求項１に記載の育毛装置であって、前記導光手段は、円筒形状とされ、一端を前記光源部側に設け、他端を前記皮膚に接触させることを特徴とする。
【０００９】
請求項３に記載の発明は、請求項１または請求項２に記載の育毛装置であって、前記光源部及び前記導光手段からなるユニットを複数個並べて、複数の前記導光手段を櫛歯形状に配列させたことを特徴とする。
【００１０】
請求項４に記載の発明は、請求項１または請求項２に記載の育毛装置であって、前記導光手段は、前記光源部側に設けられる一端側から前記皮膚に接触する他端側に向かって複数に枝分かれし、前記光の照射出口を複数有することを特徴とする。
【００１１】
請求項５に記載の発明は、請求項１から請求項４の何れか１項に記載の育毛装置であって、前記光源部と前記導光手段との間に、該光源部で発せられた光を集光して前記導光手段に入力する集光手段を設けたことを特徴とする。
【００１２】
請求項６に記載の発明は、請求項１から請求項５の何れか１項に記載の育毛装置であって、前記光の照射時間を１５分以上とする時間制御手段を備えたことを特徴とする。
【発明の効果】
【００１３】
請求項１に記載の育毛装置によれば、光源部で発せられた光を皮膚へと導く導光手段を有しているので、光は導光手段により皮膚へと導かれることから、毛髪に遮られることも減衰することもなく光を皮膚に照射することができる。したがって、本発明の育毛装置によれば、光源部で発せられた光が確実に皮膚に届き、体毛の育毛効果を高めることができる。また、本発明では、照射する光の波長を９５０ｎｍ又は１４５０ｎｍとした水の特異吸収波長としているため、低エネルギーの光（波長９５０ｎｍ又は１４５０ｎｍの光）を皮膚に照射して皮膚内部に存在する体内既存の光吸収成分に光吸収させることで、炎症を招くことなく体毛を成長させることができる。
【００１４】
請求項２に記載の育毛装置によれば、導光手段を円筒形状とし、その一端を光源部側に設けると共に他端を皮膚に接触させることで、この円筒形状の導光手段がガイドとなり、例えば頭部へ光を照射する場合に毛髪に邪魔されることなく皮膚に光を照射することができる。
【００１５】
請求項３に記載の育毛装置によれば、光源部及び導光手段からなるユニットを複数個並べて複数の導光手段を櫛歯形状に配列させたので、複数ユニットのそれぞれの導光手段で広範囲に渡って光を皮膚に照射することができると共に、櫛歯形状に配列された導光手段にて頭部等の毛髪（体毛）が多い部位に対しても毛髪が邪魔になることなく光を皮膚に照射することができる。
【００１６】
請求項４に記載の育毛装置によれば、光源部側に設けられる一端側から皮膚に接触する他端側に向かって複数に枝分かれして光の照射出口を複数有した導光手段を使用することで、複数の照射出口から光を広範囲に照射することができる。
【００１７】
請求項５に記載の育毛装置によれば、光源部で発せられた光を集光して導光手段に入力する集光手段を、光源部と導光手段との間に設けたので、この集光手段によって光源部からの光を集光して効率良く導光手段へ供給することができる。
【００１８】
請求項６に記載の育毛装置によれば、光の照射時間を１５分以上とする時間制御手段を備えたので、体毛の成長に効果が出る１５分以上の光の照射によって育毛効果を高めることができる。
【図面の簡単な説明】
【００１９】
【図１】図１は第１実施形態の育毛装置全体を示す概略構成図である。
【図２】図２は第２実施形態の育毛装置における光照射部分を示す概略構成図である。
【図３】図３は第２実施形態の他の育毛装置における光照射部分を示す概略構成図であり、（Ａ）は正面から見た図、（Ｂ）は側面から見た図である。
【図４】図４は第３実施形態の育毛装置における光照射部分を示す概略構成図であり、（Ａ）は集光レンズを用いた例を示す図、（Ｂ）は集光レンズを使用しない例を示す図である。
【図５】図５は第４実施形態の育毛装置を示し、（Ａ）は正面図、（Ｂ）は斜視図である。
【図６】図６は第４実施形態の他の育毛装置を示し、（Ａ）は正面図、（Ｂ）は底面図である。
【発明を実施するための形態】
【００２０】
以下、本発明を適用した具体的な実施形態について図面を参照しながら詳細に説明する。
【００２１】
［第１実施形態］
図１は第１実施形態の育毛装置全体を示す概略構成図である。先ず、第１実施形態の育毛装置の構成について説明する。
【００２２】
育毛装置は、図１に示すように、大きく分けて光Ｈを皮膚に照射する光照射部１と、この光照射部１の駆動を制御する制御部２とからなる。
【００２３】
光照射部１は、体毛を育毛させるための光Ｈを発する光源部３と、光源部３で発せられた光Ｈを皮膚へと導く導光手段である導光部４と、光源部３と導光部４との間に設けられた集光手段である集光レンズ５とからなる。
【００２４】
光源部３は、ハウジング６内に収容されている。光源部３には、水の特異吸収波長の光を発する、例えば発光ダイオードが用いられる。水の特異吸収波長とは、光が水に吸収される際に他の波長に比べて強い吸光度を示したり、急峻な吸光度変化を示したりする波長のことであり、水のＯ−Ｈの結合基に起因するものである。特に近赤外領域では、９５０ｎｍ近傍、１１５０ｎｍ近傍、１４５０ｎｍ近傍、１７９０ｎｍ近傍などが、水の特異吸収波長であることが知られている。これらの中でも、９５０ｎｍまたは１４５０ｎｍの波長であることが望ましい。この波長の光であれば、皮膚に炎症を与えることなく体毛を育毛させる効果を高めることができる。
【００２５】
また、発光ダイオードの代わりに、短波長レーザーを用いる、若しくはハロゲンランプや広帯域レーザーに対して波長選定のためのフィルターを光源部３と照射部位（皮膚）の間に設けて必要な波長だけ利用する形態としてもよい。
【００２６】
導光部４は、ハウジング１の一端に取り付けられている。かかる導光部４は、例えば金や銀またはアルミニウム等の金属からなり、直径１ｍｍ程度とした円筒形状として形成されている。導光部４は、その長手方向の一端を光源部３側に設け、他端を皮膚に接触させるようになっている。この導光部４は、光源部３で発せられた光Ｈを皮膚へと導く役目をする。
【００２７】
集光レンズ５は、光源部３と導光部４の間に配置されると共に、該導光部４の一端に接して設けられている。光源部３から発せられた光Ｈは、その前方に配置された集光レンズ５に集められた後、該集光レンズ５に接して設けられた導光部４へ送る。集光レンズ５を設けることで、光源部３で発せられた光Ｈを漏れなく導光部４へと送り込むことができる。
【００２８】
前記導光部４の皮膚と接触する部位には、圧力センサー７とアタッチメント８が設けられている。圧力センサー７は、導光部４の先端が皮膚に接触した時の接触圧力を検知する。アタッチメント８は、皮膚に直接接し、該皮膚に傷などをつけないように保護する機能をする。なお、圧力センサー７に関しては、皮膚との接触を確認できれば良いので、例えば水分量検知センサー又は温度センサーを該圧力センサー７と置き換えてもよい。
【００２９】
制御部２は、光源部３を発光させる電源部９と、パルス制御部１０と、タイマー１１と、オンオフスイッチ１２とからなる。前記電源部９とパルス制御部１０とタイマー１１は、何れも同じ制御ボックス１３内に収納されている。オンオフスイッチ１２は、前記制御ボックス１３とは独立して設けられている。
【００３０】
パルス制御部１０は、発光部３をパルス点灯させるように該発光部３を駆動制御する。パルス制御された光は、５００Ｈｚで点灯されるのが好ましい。タイマー１１は、発光部３で発光させた光を皮膚に照射する照射時間を制御する時間制御手段として機能する。皮膚への光の照射時間としては、１５分以上とすることが好ましい。
【００３１】
オンオフスイッチ１２は、前記圧力センサー７が一定の接触圧力を検知した時に、スイッチオンとなり、前記電源部９を稼働させる。これを受けた電源部９は、前記光源部３に電力供給し、該光源部３を発光させる。一方、オンオフスイッチ１２は、前記圧力センサー７が一定の接触圧力を検知しなかった時にはスイッチオフとなり、前記電源部９の稼働を停止する。
【００３２】
次に、上述のように構成された育毛装置を用いて頭皮（頭部の皮膚）に光を照射して育毛する方法について説明する。先ず、光照射部１のハウジング６を握り、導光部４の先端に設けたアタッチメント８を処置する部位の頭皮に配置して軽く押し付ける。すると、圧力センサー７が一定の接触圧力を検知してオンオフスイッチ１２がオン状態となり、前記電源部９を稼働させる。電源部９は、前記光源部３に電圧を印加し、該光源部３を発光させる。
【００３３】
前記光源部３で発せられる光Ｈは、水の特異吸収波長と同じ９５０ｎｍまたは１４５０ｎｍの波長とした光とされる。本実施形態では、９５０ｎｍの波長か１４５０ｎｍの波長の何れかの光Ｈを照射するものとする。
【００３４】
前記光Ｈは、光源部３を複数用意して９５０ｎｍの波長と１４５０ｎｍの波長の光Ｈを、同時または交互に照射するようにしてもよい。特に、光Ｈを照射される対象者の年齢に応じて、照射される光Ｈの波長を切り替えることが好ましい。例えば、９５０ｎｍの波長の光Ｈは、５０歳以下の人を対象として照射し、１４５０ｎｍは全ての年齢の人を対象として照射することで、育毛効果がより一層向上する。これは、１４５０ｎｍの波長の光Ｈは、９５０ｎｍの波長の光Ｈに比べて水の吸収が強いため、水分の少ない年配者は１４５０ｎｍの波長の光Ｈを使用した方が育毛効果をより発揮できるものと考えられる。
【００３５】
前記光Ｈは、パルス制御部１０によってパルス点灯される。また、光Ｈは、タイマー１１によって１５分以上照射される。
【００３６】
前記光源部３で発せられた光Ｈは、その前方に設けられた集光レンズ５で集光された後、導光部４へ照射される。導光部４では、集光レンズ５で集光された光Ｈを、毛髪等により遮られると共に減衰させられることなく光源部側から皮膚へと効率良く導く。光Ｈが照射された部位は、皮膚内部に存在する体内既存の光吸収成分に光吸収させることで毛髪（体毛）が成長することになる。
【００３７】
以上のようにして構成された育毛装置によれば、光源部３で発せられた光Ｈを皮膚へと導く導光部４を有しているので、光Ｈは導光部４により皮膚へと導かれることから、毛髪に遮られることも減衰することもなく光Ｈを皮膚に照射することができる。したがって、本実施形態の育毛装置によれば、光源部３から発せられた光Ｈが確実に皮膚に届き、体毛の育毛効果を高めることができる。
【００３８】
また、本実施形態の育毛装置によれば、照射する光Ｈの波長を９５０ｎｍ又は１４５０ｎｍとした水の特異吸収波長としているため、低エネルギーの光を皮膚に照射して皮膚内部に存在する体内既存の光吸収成分に光吸収させることで、炎症を招くことなく体毛を成長させることができる。
【００３９】
また、本実施形態の育毛装置によれば、導光部４を円筒形状とし、その一端を光源部３側に設けると共に他端を皮膚に接触させることで、例えば頭部へ光を照射する場合に毛髪に邪魔されることなく皮膚に光を照射することができる。
【００４０】
また、本実施形態の育毛装置によれば、光源部３で発せられた光Ｈを集光して導光部４に入力する集光レンズ５を、光源部３と導光部４との間に設けたので、この集光レンズ５によって光源部３からの光Ｈを全て集光して導光部４へ供給することができる。
【００４１】
また、本実施形態の育毛装置によれば、光Ｈの照射時間を１５分以上とするタイマー１１を備えたので、体毛の成長に効果が出る１５分以上の光Ｈの照射によって育毛効果を高めることができる。
【００４２】
［第２実施形態］
図２及び図３は第２実施形態の育毛装置における光照射部分を示す概略構成図である。図２に示す育毛装置では、光源部３と導光部４と集光レンズ５を有したユニットである光照射部１を、図２に示すように、各ハウジング６同士を接するように並べて配置し、複数の導光部４を櫛歯形状に配列させた構造としている。
【００４３】
図３に示す育毛装置では、光照射部１を構成する一つのハウジング６の中に複数の光源部３を接して配列すると共に、各光源部３に対して４つの集光レンズ５をそれぞれ設け、更に各集光レンズ５に対して導光部４をそれぞれ設けた構造としている。この育毛装置においては、複数の導光部４が２行２列として櫛歯形状に配列された形状とされている。
【００４４】
図２に示す育毛装置によれば、光源部３と導光部４と集光レンズ５からなるユニットである光照射部１を複数個並べて複数の導光部４を櫛歯形状に配列させたので、複数ユニットのそれぞれの導光部４で広範囲に渡って光Ｈを皮膚に照射することができると共に、櫛歯形状に配列された導光部４にて頭部等の毛髪（体毛）が多い部位に対しても毛髪が邪魔になることなく光を皮膚に照射することができる。また、この育毛装置では、複数の導光部４が櫛歯形状とされることから、ヘアーブラシのようにこれら導光部４で髪をとかすこともできる。
【００４５】
図３に示す育毛装置によれば、図２の育毛装置と同様、複数の導光部４で広範囲に渡って光Ｈを皮膚に照射することができると共に、毛髪が邪魔になることなく光Ｈを皮膚に照射することができる。また、この育毛装置では、１つの光源部３に４つの集光レンズ５と導光部４を対応して設けているので、照射部位を増やすことができ、より一層の育毛効果が期待できる。
【００４６】
［第３実施形態」
図４は第３実施形態の育毛装置における光照射部分を示す概略構成図であり、（Ａ）は集光レンズを用いた例を示す図、（Ｂ）は集光レンズを使用しない例を示す図である。
【００４７】
図４の育毛装置では、導光部４を、光源部３側に設けられる一端側から皮膚に接触する他端側に向かって複数に枝分かれし、光Ｈの照射出口を複数有した構造としている。具体的には、集光レンズ５と接する部位の集光口１４から光Ｈを受光し、複数本に枝分かれした枝状導光部４ａ〜４ｈを通った光Ｈを、その先端の発光部１５から皮膚に向けて照射するように導光部４を形成している。
【００４８】
枝状導光部４ａ〜４ｈは、４つ（４ｃ〜４ｆ）を光源部３から発せられた光Ｈを真っ直ぐに皮膚へと導くストレート形状とし、残りの４つ（４ａ、４ｂ、４ｇ、４ｈ）を屈曲させて皮膚へと導く屈曲形状としている。
【００４９】
また、図４の育毛装置では、光源部３を接するように複数並べて配置させ、その前方に大型の１つの集光レンズ５を配置させた構造としている。
【００５０】
図４（Ｂ)の育毛装置では、導光部４の形状を図４と同じ形状とするが、光源部３の数を１つとし且つ集光レンズ５は用いない構造としている。
【００５１】
これら図４（Ａ）及び（Ｂ）の育毛装置によれば、導光部４を複数の枝状導光部４ａ〜４ｈとした枝分かれ構造としているので、照射出口である発光部１５が複数形成されることになることにより、光を皮膚の広範囲に照射することができる。
【００５２】
［第４実施形態」
図５は第４実施形態の育毛装置を示し、（Ａ）は正面図、（Ｂ）は斜視図である。図６は第４実施形態の他の育毛装置を示し、（Ａ）は正面図、（Ｂ）は底面図である。
【００５３】
図５の育毛装置では、ハウジング６の形状を、手の平で包み込むようにして握ることのできる半球形状や半楕円形状としている。図６の育毛装置では、ハウジング６の形状を、グリップ部を有したヘアーブラシ形状としている。なお、図５及び図６の育毛装置では、何れもハウジング６内に光源部１、必要に応じて集光レンズ５、電源部９、パルス制御部１０、タイマー１１を内蔵させている。オンオフスイッチ１２は、図示を省略するがハウジング６の表面の任意の位置に設けられる。
【００５４】
図５及び図６の育毛装置によれば、ハウジング６の形状を握り易い形状としたので、育毛を行いたい部位に導光部４を簡単に位置合わせすることができる。また、これら育毛装置は、何れも櫛歯形状であるのでヘアーブラシとして髪をとかすことができる。
【符号の説明】
【００５５】
１…光照射部
２…制御部
３…光源部
４…導光部（導光手段）
５…集光レンズ（集光手段）
７…圧力センサー
８…アタッチメント
９…電源部
１０…パルス制御部
１１…タイマー
１２…オンオフスイッチ
【図１】
2011062422.tif 000003
【図２】
2011062422.tif 000004
【図３】
2011062422.tif 000005
【図４】
2011062422.tif 000006
【図５】
2011062422.tif 000007
【図６】
2011062422.tif 000008